(57)【要約】【課題】外部の機器に出力して記録させる画像に写る被写体の範囲をユーザが調整することができるようにする。【解決手段】表示部１２には、ビデオカメラから取り込まれたHD画像が、ダウンコンバート処理の対象の画像としてアスペクト比はそのままに所定の解像度で表示される。処理対象になっているHD画像の左右には、切り出し範囲を表す縦線である切り出し範囲マーカーＭ1とＭ2がそれぞれ表示される。HD画像全体のうち、切り出し範囲マーカーＭ1とＭ2によって左右を挟まれる範囲が切り出し範囲になる。ユーザは、左右のキーを操作することによって、切り出し範囲マーカーＭ1とＭ2の表示位置を連動させて左方向に、あるいは右方向に、HD画像の範囲内で移動させることができる。本発明は、画像を扱う機器に適用することができる。【選択図】図２
2007221503.tif 000002
【特許請求の範囲】
【請求項１】
取り込まれた画像に重ねて、切り出し対象になる範囲を表す情報を表示させ、その表示位置を、取り込まれた前記画像の範囲内でユーザの操作に応じて移動させる表示制御手段と、
取り込まれた前記画像全体のうち、前記表示制御手段により表示された情報によって表される切り出し対象になる範囲の画像に所定の処理を施して得られた画像を、他の外部の機器に出力して記録させる記録制御手段と
を備える記録制御装置。
【請求項２】
取り込まれた前記画像はアスペクト比が１６：９の画像であり、
前記表示制御手段は、切り出し対象になる４：３のアスペクト比の画像の範囲を表す情報としての縦線を、１６：９のアスペクト比の前記画像の左右にそれぞれ重ねて表示させる
請求項１に記載の記録制御装置。
【請求項３】
前記記録制御手段は、１６：９のアスペクト比の前記画像の左右にそれぞれ重ねて表示された縦線で表される切り出し対象になる範囲に写る被写体と同じ被写体が写る４：３のアスペクト比の画像を生成し、生成した４：３のアスペクト比の画像を前記他の外部の機器に出力して記録させる
請求項２に記載の記録制御装置。
【請求項４】
前記表示制御手段は、取り込まれた前記画像の所定の位置を基準とした、切り出し対象になる範囲を表す前記情報の位置を表す数値をさらに表示させる
請求項１に記載の記録制御装置。
【請求項５】
取り込まれた画像に重ねて、切り出し対象になる範囲を表す情報を表示させ、その表示位置を、取り込まれた前記画像の範囲内でユーザの操作に応じて移動させ、
取り込まれた前記画像全体のうち、表示された情報によって表される切り出し対象になる範囲の画像に所定の処理を施して得られた画像を、他の外部の機器に出力して記録させる
ステップを含む記録制御方法。
【請求項６】
取り込まれた画像に重ねて、切り出し対象になる範囲を表す情報を表示させ、その表示位置を、取り込まれた前記画像の範囲内でユーザの操作に応じて移動させ、
取り込まれた前記画像全体のうち、表示された情報によって表される切り出し対象になる範囲の画像に所定の処理を施して得られた画像を、他の外部の機器に出力して記録させる
ステップを含む処理をコンピュータに実行させるプログラム。
【発明の詳細な説明】
【技術分野】
【０００１】
本発明は、記録制御装置、記録制御方法、およびプログラムに関し、特に、外部の機器に出力して記録させる画像に写る被写体の範囲をユーザが調整することができるようにした記録制御装置、記録制御方法、およびプログラムに関する。
【背景技術】
【０００２】
主に業務用の機器として、ビデオカメラなどの外部の機器から取り込まれた画像（動画）に対して後から行われる細かい編集の前処理を施し、前処理によって得られた画像を、その細かい編集を実際に行う他の外部の機器に出力する機器がある。
【０００３】
処理対象となる画像の供給元のビデオカメラがHDV（登録商標）フォーマットの記録に対応した機器である場合、そのような前処理としては、例えば、１６：９のアスペクト比の画像の左右を所定の幅だけ切り落とし、４：３のアスペクト比の画像を出力するいわゆるエッジクロップ処理（ダウンコンバート処理）がある。
【０００４】
特許文献１には、アスペクト比が１６：９の入力映像を、アスペクト比が４：３の映像に変換する技術が開示されている。
【特許文献１】特開平５−２０７４１４号公報
【発明の開示】
【発明が解決しようとする課題】
【０００５】
このようなダウンコンバート処理で切り落とされる範囲は、処理対象の画像である１６：９のアスペクト比の画像の中心を基準として固定的に定められることが多く、このことが、撮影者に対して、あるいは編集者に対して不便さを与えることがあった。
【０００６】
例えば、撮影者は、後にこのようなダウンコンバート処理が行われることを意識しながら被写体の範囲を決定し、撮影を行わなければならない。また、欲しい被写体の範囲が切り落とされてしまい、編集者が編集に困ることがある。
【０００７】
本発明はこのような状況に鑑みてなされたものであり、外部の機器に出力して記録させる画像に写る被写体の範囲をユーザが調整することができるようにするものである。
【課題を解決するための手段】
【０００８】
本発明の一側面の記録制御装置は、取り込まれた画像に重ねて、切り出し対象になる範囲を表す情報を表示させ、その表示位置を、取り込まれた前記画像の範囲内でユーザの操作に応じて移動させる表示制御手段と、取り込まれた前記画像全体のうち、前記表示制御手段により表示された情報によって表される切り出し対象になる範囲の画像に所定の処理を施して得られた画像を、他の外部の機器に出力して記録させる記録制御手段とを備える。
【０００９】
取り込まれた前記画像をアスペクト比が１６：９の画像とし、前記表示制御手段には、切り出し対象になる４：３のアスペクト比の画像の範囲を表す情報としての縦線を、１６：９のアスペクト比の前記画像の左右にそれぞれ重ねて表示させることができる。
【００１０】
前記記録制御手段には、１６：９のアスペクト比の前記画像の左右にそれぞれ重ねて表示された縦線で表される切り出し対象になる範囲に写る被写体と同じ被写体が写る４：３のアスペクト比の画像を生成させ、生成させた４：３のアスペクト比の画像を前記他の外部の機器に出力して記録させることができる。
【００１１】
前記表示制御手段には、取り込まれた前記画像の所定の位置を基準とした、切り出し対象になる範囲を表す前記情報の位置を表す数値をさらに表示させることができる。
【００１２】
本発明の一側面の記録制御方法またはプログラムは、取り込まれた画像に重ねて、切り出し対象になる範囲を表す情報を表示させ、その表示位置を、取り込まれた前記画像の範囲内でユーザの操作に応じて移動させ、取り込まれた前記画像全体のうち、表示された情報によって表される切り出し対象になる範囲の画像に所定の処理を施して得られた画像を、他の外部の機器に出力して記録させるステップを含む。
【００１３】
本発明の一側面においては、取り込まれた画像に重ねて、切り出し対象になる範囲を表す情報が表示され、その表示位置が、取り込まれた前記画像の範囲内でユーザの操作に応じて移動される。また、取り込まれた前記画像全体のうち、表示された情報によって表される切り出し対象になる範囲の画像に所定の処理が施されて得られた画像が、他の外部の機器に出力されて記録される。
【発明の効果】
【００１４】
本発明の一側面によれば、外部の機器に出力して記録させる画像に写る被写体の範囲をユーザが調整することができる。
【発明を実施するための最良の形態】
【００１５】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が発明に対応するものとしてここに記載されていたとしても、そのことは、その実施の形態が、その構成要件以外には対応しないものであることを意味するものでもない。
【００１６】
本発明の一側面の記録制御装置（例えば、図１の記録制御装置１）は、取り込まれた画像に重ねて、切り出し対象になる範囲を表す情報を表示させ、その表示位置を、取り込まれた前記画像の範囲内でユーザの操作に応じて移動させる表示制御手段（例えば、図６のメインマイコン２１）と、取り込まれた前記画像全体のうち、前記表示制御手段により表示された情報によって表される切り出し対象になる範囲の画像に所定の処理を施して得られた画像を、他の外部の機器に出力して記録させる記録制御手段（図６のベースバンドブロック３７）とを備える。
【００１７】
本発明の一側面の記録制御方法またはプログラムは、取り込まれた画像に重ねて、切り出し対象になる範囲を表す情報を表示させ、その表示位置を、取り込まれた前記画像の範囲内でユーザの操作に応じて移動させ、取り込まれた前記画像全体のうち、表示された情報によって表される切り出し対象になる範囲の画像に所定の処理を施して得られた画像を、他の外部の機器に出力して記録させるステップ（例えば、図７のステップＳ４）を含む。
【００１８】
以下、本発明の実施の形態について図を参照して説明する。
【００１９】
図１は、本発明の一実施形態に係る記録制御装置１を含む画像処理システムの構成例を示す図である。
【００２０】
図１に示されるように、この画像処理システムは、例えば、記録制御装置１、ビデオカメラ２、記録装置３、および外部モニタ４から構成される。
【００２１】
記録制御装置１は、記録装置３において後に行われる編集の前処理としての簡単な編集を、ビデオカメラ２によって撮影された画像に対して行う装置である。ビデオカメラ２によって撮影された画像は、例えばDV規格のテープを介して記録制御装置１に供給され、記録制御装置１によって簡単な編集が施されることによって得られた画像は、例えば記録制御装置１のＤ端子に接続されたケーブルを介して記録装置３に供給される。ビデオカメラ２により取り込まれた音声も、適宜、記録制御装置１を介して記録装置３に供給される。
【００２２】
記録制御装置１には、ビデオカメラ２で用いられるテープと同じ規格のテープを装着可能なテープ装着部１１や、Ｄ端子（図示せず）が設けられている。また、記録制御装置１には、LCD(Liquid Crystal Display)などよりなる表示部１２が設けられている。
【００２３】
記録制御装置１においては、記録装置３において行われる編集の前処理として、ビデオカメラ２により撮影された１６：９のアスペクト比のHD(High Definition)画像の左右を所定の幅だけ切り落とし、４：３のアスペクト比の所定の解像度のSD(Standard Definition)画像を出力するダウンコンバート処理の他に、IN点、OUT点を大まかな位置に設定する処理、数本のテープにわたって撮影された画像を１本のテープにまとめる処理なども行われる。
【００２４】
ダウンコンバート処理を行うとき、記録制御装置１においては、HD画像全体のうちの左右の切り落とされる範囲、いいかえれば、４：３のアスペクト比の画像として切り出される範囲をユーザが調整することができるようになされている。
【００２５】
後述するように、表示部１２には、ビデオカメラ２により撮影され、記録制御装置１により取り込まれた処理対象の画像が表示されるとともに、その画像の左右に、切り出し範囲を表す情報としての縦線がそれぞれ表示される。ユーザは、記録制御装置１の筐体表面に設けられる十字キーのうちの左右のキーを用いて縦線の位置を左右に移動させ、切り出し範囲を調整することができる。
【００２６】
切り出し範囲が調整されたとき、調整された切り出し範囲内のHD画像から生成されたSD画像が記録装置３に出力される。これにより、切り出し範囲内に写る被写体と同じ被写体が写るSD画像が記録装置３に出力され、記録されることになる。
【００２７】
また、切り出し範囲が調整されたとき、切り出し範囲内の画像が外部モニタ４に表示される。ユーザは、外部モニタ４の表示を見ながら切り出し範囲を調整することもできる。
【００２８】
ビデオカメラ２はHDVフォーマット、DVCAMフォーマット、DV SPフォーマットなどの複数のフォーマットの記録に対応したビデオカメラである。ビデオカメラ２は、撮影者によりHDVフォーマットで記録することが選択されているとき、例えば、１０８０ｉのHD画像（水平走査線数が１０８０、走査方式がインタレース方式の画像）を撮影し、撮影して得られたアスペクト比が１６：９のHD画像を、装着されたテープに記録する。HD画像が記録されたテープは所定のタイミングでビデオカメラ２から取り出され、記録制御装置１のテープ装着部１１に装着される。
【００２９】
記録装置３はハードディスクなどの記録媒体を内蔵する装置である。記録装置３は、記録制御装置１から供給されたSD画像を内蔵のハードディスクに記録させ、編集者がノンリニア編集を行うことができるようにする。記録装置３の筐体表面には、編集に用いられる各種のボタンが用意される。
【００３０】
外部モニタ４はLCDなどよりなり、記録制御装置１から供給された、切り出し範囲内の画像を表示する。記録制御装置１と外部モニタ４は例えばＳ端子ケーブルなどによって接続される。
【００３１】
図２は、記録制御装置１により行われるダウンコンバートの概念を示す図である。
【００３２】
図２の上方に示される画像はビデオカメラ２により撮影され、記録制御装置１に取り込まれたHD画像である。記録制御装置１の表示部１２には、取り込まれたHD画像が、ダウンコンバート処理の対象の画像としてアスペクト比はそのままに所定の解像度で表示される。
【００３３】
また、表示部１２には、図２の上方に示されるように、処理対象になっているHD画像に重ねて、HD画像の左右の端から所定の距離だけ離れた位置に、切り出し範囲を表す縦線である切り出し範囲マーカーＭ1とＭ2がそれぞれ表示される。HD画像全体のうち、切り出し範囲マーカーＭ1とＭ2によって左右を挟まれる範囲が切り出し範囲になり、反対に、切り出し範囲マーカーＭ1の左側と切り出し範囲マーカーＭ2の右側が切り落とされる範囲になる。
【００３４】
切り出し範囲マーカーＭ1とＭ2の間隔と、図２の上方に示されるHD画像の縦方向の長さの比が、ダウンコンバート処理によって出力される画像のアスペクト比と同じ比である４：３になる。
【００３５】
ユーザは、記録制御装置１の十字キーの左右のキーを操作することによって、切り出し範囲マーカーＭ1とＭ2の表示位置を連動させて左方向に、あるいは右方向に、HD画像の範囲内で移動させ、記録制御装置１から出力されるSD画像に残しておきたい被写体の範囲を調整することができる。なお、切り出し範囲マーカーＭ1とＭ2の間隔は、移動中も移動された後も固定である。
【００３６】
また、ユーザが切り出し範囲マーカーＭ1とＭ2の表示位置を移動させ、切り出し範囲を調整しているとき、外部モニタ４には、切り出し範囲内の画像がリアルタイムで表示される。ユーザは、外部モニタ４の表示を見て、記録制御装置１から出力される画像のイメージを確認することができる。
【００３７】
切り出し範囲マーカーＭ1とＭ2の表示位置を調整し、ユーザにより決定操作が行われたとき、図２の白抜き矢印の先に示されるように、切り出し範囲マーカーＭ1とＭ2によって左右を挟まれる範囲内のHD画像に基づいて、４：３のアスペクト比の所定の解像度のSD画像が生成される。生成されたSD画像は記録装置３に出力される。
【００３８】
図３と図４は、切り出し範囲マーカーＭ1とＭ2の表示位置を移動させたときの画面の例を示す図である。
【００３９】
図３は、十字キーのうちの右キーを操作することによって、切り出し範囲マーカーＭ1とＭ2を右方向に移動させたときの表示例を示し、図４は、十字キーのうちの左キーを操作することによって、切り出し範囲マーカーＭ1とＭ2を左方向に移動させたときの表示例を示す。
【００４０】
図３と図４に示される点線は、HD画像の横方向の中心を表す。図３と図４の例においては、±０で表される中心位置を基準として、切り出し範囲マーカーＭ1とＭ2を右方向に移動させる操作が＋方向の操作とされ、左方向に移動させる操作が−方向の操作とされている。
【００４１】
図５は、切り出し範囲の調整に用いられる調整画面のより詳細な表示例を示す図である。
【００４２】
図５の例においては、切り出し範囲マーカーＭ1とＭ2の他に、中心位置マーカーＭ3、表示範囲枠Ｆ、および、数値表示領域Ａが、処理対象のHD画像に重ねて表示されている。
【００４３】
中心位置マーカーＭ3は、切り出し範囲の中心位置を表すマーカーである。ユーザが切り出し範囲マーカーＭ1とＭ2の表示位置を左右に移動させることに伴って、中心位置マーカーＭ3の表示位置も左右に移動する。
【００４４】
表示範囲枠Ｆは、出力されるSD画像のうちの、ディスプレイに確実に表示される範囲を表す枠である。同じ解像度、同じサイズのディスプレイであっても、ディスプレイによっては表示範囲が若干異なることがあり、通常のディスプレイであれば確実に表示される範囲を確認するための目安として表示範囲枠Ｆが用いられる。表示範囲枠Ｆの表示位置も、ユーザが切り出し範囲マーカーＭ1とＭ2の表示位置を左右に移動させることに伴って移動する。
【００４５】
数値表示領域Ａは、切り出し範囲マーカーＭ1とＭ2の現在の位置を表す数値が表示される領域である。図５の例においては、数値表示領域Ａには「＋２」が表示されており、これは、所定の距離を１単位として、切り出し範囲マーカーＭ1とＭ2の表示位置がユーザにより右方向に２単位だけ移動されたことを表す。この数値を確認することによっても、ユーザは切り出し範囲を調整することができる。
【００４６】
図５の例においては、表示部１２にいま表示されている画面が切り出し範囲の調整に用いられる画面であることを表す「CROP ADJUST」の文字の他に、ビデオカメラ２から取り込まれた画像のうちの現在の再生位置を表すタイムコードなどの各種の情報が処理対象のHD画像に重ねて表示されている。
【００４７】
なお、このような切り出し範囲の調整は、例えば、ビデオカメラ２により撮影されたHD画像が時系列順に再生され、記録制御装置１により取り込まれている最中に行われる。再生中の画像に対してユーザにより切り出し範囲が調整され、調整された切り出し範囲内のHD画像に基づいて生成されたSD画像が時系列順に記録装置３に出力される。
【００４８】
以上のような画面表示を行い、ユーザの操作に応じて切り出し範囲を調整する記録制御装置１の動作についてはフローチャートを参照して後述する。
【００４９】
図６は、記録制御装置１の構成例を示すブロック図である。
【００５０】
メインマイコン２１（メインマイクロコンピュータ２１）は、サブマイコン２２（サブマイクロコンピュータ２２）とベースバンドブロック３７を制御し、記録制御装置１の全体の動作を制御する。記録制御装置１の筐体表面に設けられた十字キーや決定キーなどを用いたユーザの各種の操作は、このメインマイコン２１により受け付けられる。
【００５１】
例えば、メインマイコン２１は、サブマイコン２２を制御して、IEEE(Institute of Electrical and Electronics Engineers)1394ケーブルを介して記録制御装置１に接続されるビデオカメラ２から撮影済みの画像を取り込ませたり、テープ装着部１１に装着されたテープから画像を取り込ませたりする。また、メインマイコン２１は、ベースバンドブロック３７を制御し、切り出し範囲の調整画面を表示部１２に表示させるとともに、ユーザの操作に応じて、切り出し範囲マーカーＭ1とＭ2の表示位置を移動させたりする。
【００５２】
サブマイコン２２は、メインマイコン２１による制御にしたがって、IEEE1394 I/F３１、テープ駆動部３３、HDV MUX/DEMUX３４（HDVマルチプレクサ／デマルチプレクサ３４）、HDVコーデック３５、DVコーデック３６を制御する。例えば、サブマイコン２２は、IEEE1394ケーブルを介して接続される外部の機器からのデータの取り込み、外部の機器に対するデータの出力をIEEE1394 I/F３１に行わせ、また、テープ装着部１１に装着されたテープからのデータの取り込み、テープに対するデータの記録をテープ駆動部３３に行わせる。
【００５３】
また、サブマイコン２２は、HDV MUX/DEMUX３４とHDVコーデック３５により実現される、HDVフォーマットの画像の処理を行う機能と、DVコーデック３６により実現される、DVフォーマットの画像の処理を行う機能とを、処理対象になっている画像のフォーマットに応じて切り替える。サブマイコン２２は、例えばHDVフォーマットの画像が外部から取り込まれたとき、HDV MUX/DEMUX３４とHDVコーデック３５を制御してその画像の処理を行わせ、DVCAM、DV SPなどのDVフォーマットの画像が外部から取り込まれたとき、DVコーデック３６を制御してその画像の処理を行わせる。
【００５４】
IEEE1394 I/F３１は、サブマイコン２２による制御にしたがってAV/Cコマンド（AV/C Digital Interface Command Set）を生成し、IEEE1394端子３２に装着されたIEEE1394ケーブルを介して接続されるビデオカメラ２などの外部の機器を制御する。IEEE1394 I/F３１は、外部の機器から取り込まれたHDVフォーマットの画像をHDV MUX/DEMUX３４に出力し、外部の機器から取り込まれたDVフォーマットの画像をDVコーデック３６に出力する。また、IEEE1394 I/F３１は、HDV MUX/DEMUX３４、DVコーデック３６からデータが供給されたとき、供給されたデータを外部の機器に出力する。
【００５５】
テープ駆動部３３は、テープ装着部１１に装着されたテープを制御し、テープから取り込まれたHDVフォーマットの画像をHDV MUX/DEMUX３４に出力し、テープから取り込まれたDVフォーマットの画像をDVコーデック３６に出力する。また、テープ駆動部３３は、HDV MUX/DEMUX３４、DVコーデック３６からデータが供給されたとき、供給されたデータをテープに記録させる。
【００５６】
HDV MUX/DEMUX３４は、サブマイコン２２による制御にしたがって、HDVコーデック３５により符号化されたHDVフォーマットのデータからストリームを生成し、生成したストリームをIEEE1394 I/F３１、テープ駆動部３３に出力する。また、HDV MUX/DEMUX３４は、サブマイコン２２による制御にしたがって、IEEE1394 I/F３１から供給されたストリームから所定のパケットを抽出し、抽出したパケットをHDVコーデック３５に出力する。
【００５７】
HDVコーデック３５は、サブマイコン２２による制御にしたがって、ベースバンドブロック３７から供給されたデータをHDVフォーマットのデータとして符号化し、符号化して得られたデータをHDV MUX/DEMUX３４に出力する。また、HDVコーデック３５は、サブマイコン２２による制御にしたがって、HDV MUX/DEMUX３４から供給されたデータを復号し、復号して得られたデータをベースバンドブロック３７に出力する。
【００５８】
DVコーデック３６は、サブマイコン２２による制御にしたがって、ベースバンドブロック３７から供給されたデータをDVフォーマットのデータとして符号化し、符号化して得られたデータをIEEE1394 I/F３１、またはテープ駆動部３３に出力する。また、DVコーデック３６は、サブマイコン２２による制御にしたがって、IEEE1394 I/F３１、テープ駆動部３３から供給されたデータを復号し、復号して得られたデータをベースバンドブロック３７に出力する。
【００５９】
ベースバンドブロック３７は、メインマイコン２１による制御にしたがって、供給されたデータに所定の処理を施し、処理を施して得られたデータに基づいて表示部１２の表示を制御したり、得られたデータを外部の機器に出力したりする。
【００６０】
例えば、ベースバンドブロック３７は、ダウンコンバート処理の対象のHD画像がIEEE1394 I/F３１によりビデオカメラ２から取り込まれ、HDV MUX/DEMUX３４、HDVコーデック３５を介して供給されたとき、供給されたHD画像をアスペクト比をそのままに所定の解像度の画像に変換し、変換して得られた画像を表示部１２に表示させるとともに、表示させた画像に重ねて切り出し範囲マーカーＭ1，Ｍ2を表示させる。
【００６１】
また、このとき、ベースバンドブロック３７は、ユーザにより調整された切り出し範囲に応じて、切り出し範囲内の画像をＳ端子３８から外部モニタ４に出力し、切り出し範囲内の画像を表示させる。さらに、ベースバンドブロック３７は、切り出し範囲内の画像をＤ端子３９から記録装置３に出力し、記録させる。
【００６２】
ベースバンドブロック３７は、外部の機器との間で、画像の送受信をHDMI(High-Definition Multimedia Interface)端子４０を介して行ったりもする。
【００６３】
電源マイコン４１は、記録制御装置１の各部に対する電源の供給を制御する。
【００６４】
ここで、図７のフローチャートを参照して、HD画像から所定の範囲を切り出し、SD画像を外部に出力する記録制御装置１の処理について説明する。
【００６５】
この処理は、例えば、表示部１２に表示されるメニュー画面から画像のダウンコンバートを行うことがユーザにより選択され、ダウンコンバート処理の対象になるHD画像がHDVコーデック３５やDVコーデック３６からベースバンドブロック３７に供給されたときに開始される。
【００６６】
ステップＳ１において、ベースバンドブロック３７は、アスペクト比をそのままに所定の解像度の画像にHD画像を変換して表示部１２に表示させ、表示させた画像に重ねて、切り出し範囲マーカーＭ1，Ｍ2を表示させる。また、ベースバンドブロック３７は、切り出し範囲内の画像を外部モニタ４に表示させる。
【００６７】
これにより、表示部１２には図５に示されるような画面が表示され、ユーザは、表示部１２の表示を見たり、外部モニタ４の表示を見ながら切り出し範囲の調整を行うことができる。
【００６８】
ステップＳ２において、ベースバンドブロック３７は、切り出し範囲マーカーＭ1，Ｍ2の表示位置をユーザの操作に応じて移動させる。ユーザが十字キーの左右のキーに対して行った操作はメインマイコン２１により受け付けられ、受け付けられた操作の内容を表す情報がメインマイコン２１からベースバンドブロック３７に供給される。
【００６９】
また、ベースバンドブロック３７は、切り出し範囲マーカーＭ1，Ｍ2の表示位置をユーザの操作に応じて移動させたとき、調整された切り出し範囲内の画像を外部モニタ４に表示させることによって、ユーザの操作を外部モニタ４の表示に反映させる。
【００７０】
ステップＳ３において、ベースバンドブロック３７は、決定キーが押されたことから、ユーザにより切り出し範囲が決定されたか否かをメインマイコン２１からの出力に基づいて判定し、切り出し範囲が決定されていないと判定した場合、ステップＳ２に戻り、切り出し範囲の調整を繰り返す。一方、ベースバンドブロック３７は、ステップＳ３において、切り出し範囲が決定されたと判定した場合、ステップＳ４に進む。
【００７１】
ステップＳ４において、ベースバンドブロック３７は、切り出し範囲内のHD画像のデータに基づいて、４：３のアスペクト比のSD画像を生成し、生成したSD画像をＤ端子３９を介して記録装置３に出力して記録させる。記録装置３においては、記録制御装置１から供給されたSD画像が記録され、例えば編集に用いられる。
【００７２】
以上の処理により、ユーザは、ビデオカメラ２からIEEE1394 I/F３１を介して取り込まれたHD画像、あるいは、ビデオカメラ２からテープを介して取り込まれたHD画像を対象として、SD画像として出力される範囲を切り出し範囲マーカーＭ1，Ｍ2の表示を用いて調整することができる。
【００７３】
以上においては、ビデオカメラ２により撮影されたHD画像や、記録制御装置１に装着された磁気記録媒体であるテープに記録されたHD画像がダウンコンバート処理の対象になる場合について説明したが、ビデオカメラ２以外の外部の機器から取り込まれたHD画像が処理の対象にされてもよいし、記録制御装置１の内部で生成されたHD画像が処理の対象にされてもよい。また、処理の対象になる画像は１０８０ｉのHD画像でなくてもよいし、アスペクト比も１６：９に限られない。出力される画像のアスペクト比も４：３に限られない。
【００７４】
画像の出力先も、以上においてはＤ端子３９を介して接続される記録装置３であるとしたが、記録装置３以外の他の機器が出力先にされるようにしてもよい。
【００７５】
さらに、以上においては、処理対象の画像の左右にそれぞれ縦線が表示され、それを移動させることによってユーザは切り出し範囲を調整することができるものとしたが、四角形の枠が表示され、その表示位置を移動させたり、大きさを変えたりすることによって切り出し範囲を調整することができるようにしてもよい。
【００７６】
また、切り出し範囲を決定した後は、中心位置マーカーＭ3、表示範囲枠Ｆ、数値表示領域Ａの表示が消えるようにしてもよい。ユーザは、切り出し範囲マーカーＭ1とＭ2の表示だけを見て、SD画像に写る被写体の範囲を確認することができる。所定の操作を行うことによって、切り出し範囲マーカーＭ1とＭ2の表示をも消すことができるようにしてもよい。
【００７７】
図８は、切り出し範囲マーカーＭ1とＭ2の表示のON/OFFを切り替えるときに用いられる設定画面の例を示す図である。
【００７８】
図８左下に示される画面はメニュー画面であり、このメニュー画面には、切り出し範囲の調整を行うときに選択される項目である「CROP ADJUST」と、切り出し範囲マーカーＭ1とＭ2の表示の設定を行うときに選択される項目である「CROP MAKER」が表示されている。「CROP ADJUST」の右には、切り出し範囲の現在の設定位置が「＋１０」で表される位置であることが表示されている。
【００７９】
例えば、カーソルＣが「CROP ADJUST」にあてられている図８のメニュー画面の状態でユーザが決定キーを押したとき、白抜き矢印Ａ1の先に示されるように、図５を参照して説明した調整画面がメニュー画面に替えて表示部１２に表示される。
【００８０】
一方、カーソルＣを「CROP MAKER」にあてた状態で、ユーザが決定キーを押したとき、白抜き矢印Ａ2の先に示されるような設定画面がメニュー画面に替えて表示部１２に表示される。この設定画面には、「CROP MAKER」の文字の下に「ON」、「OFF」が表示されており、ユーザは、「ON」、「OFF」を選択することによって、切り出し範囲マーカーＭ1とＭ2の表示、非表示を選択することができる。
【００８１】
また、以上においては、切り出し範囲の調整は十字キーや決定キーを用いて行われるものとしたが、ジョグダイヤルを用いて行われたり、表示部１２にタッチパネルが設けられている場合、表示部１２を手で直接触れることによって行われるようにしてもよい。
【００８２】
さらに、切り出し範囲をあらかじめプロブラミングしておき、プログラミングされた位置にしたがって、切り出し範囲が自動的に調整されるようにしてもよい。この場合、ユーザは、処理対象のHD画像を一度見て切り出し範囲の位置をあらかじめプログラミングしておく必要があるが、HD画像のうちの最も左側に寄った位置に切り出し範囲を設定している状態から、次の瞬間に、最も右側に寄った位置に切り出し範囲を設定している状態に切り替えるといったような切り出し範囲の設定が可能になる。切り出し範囲の調整は、上述したようにビデオカメラ２により再生が行われ、記録制御装置１により取り込まれている最中にリアルタイムで行われるから、十字キーや決定キーなどを用いた手動操作によっては、そのような切り出し範囲の瞬間的な移動は困難である。
【００８３】
上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【００８４】
図９は、上述した一連の処理をプログラムにより実行するパーソナルコンピュータの構成の例を示すブロック図である。
【００８５】
CPU(Central Processing Unit)１０１は、ROM(Read Only Memory)１０２、または記憶部１０８に記憶されているプログラムに従って各種の処理を実行する。RAM(Random Access Memory)１０３には、CPU１０１が実行するプログラムやデータなどが適宜記憶される。これらのCPU１０１、ROM１０２、およびRAM１０３は、バス１０４により相互に接続されている。
【００８６】
CPU１０１にはまた、バス１０４を介して入出力インターフェース１０５が接続されている。入出力インターフェース１０５には、キーボード、マウス、マイクロホンなどよりなる入力部１０６、ディスプレイ、スピーカなどよりなる出力部１０７が接続されている。CPU１０１は、入力部１０６から入力される指令に対応して各種の処理を実行する。そして、CPU１０１は、処理の結果を出力部１０７に出力する。
【００８７】
入出力インターフェース１０５に接続されている記憶部１０８は、例えばハードディスクからなり、CPU１０１が実行するプログラムや各種のデータを記憶する。通信部１０９は、インターネットやローカルエリアネットワークなどのネットワークを介して外部の装置と通信する。
【００８８】
入出力インターフェース１０５に接続されているドライブ１１０は、磁気ディスク、光ディスク、光磁気ディスク、或いは半導体メモリなどのリムーバブルメディア１１１が装着されたとき、それらを駆動し、そこに記録されているプログラムやデータなどを取得する。取得されたプログラムやデータは、必要に応じて記憶部１０８に転送され、記憶される。
【００８９】
コンピュータにインストールされ、コンピュータによって実行可能な状態とされるプログラムを格納するプログラム記録媒体は、図９に示すように、磁気ディスク（フレキシブルディスクを含む）、光ディスク（CD-ROM(Compact Disc-Read Only Memory)，DVD(Digital Versatile Disc)を含む）、光磁気ディスク、もしくは半導体メモリなどよりなるパッケージメディアであるリムーバブルメディア１１１、または、プログラムが一時的もしくは永続的に格納されるROM１０２や、記憶部１０８を構成するハードディスクなどにより構成される。プログラム記録媒体へのプログラムの格納は、必要に応じてルータ、モデムなどのインターフェースである通信部１０９を介して、ローカルエリアネットワーク、インターネット、デジタル衛星放送といった、有線または無線の通信媒体を利用して行われる。
【００９０】
なお、本明細書において、プログラムを記述するステップは、記載された順序に沿って時系列的に行われる処理はもちろん、必ずしも時系列的に処理されなくとも、並列的あるいは個別に実行される処理をも含むものである。
【００９１】
また、本明細書において、システムとは、複数の装置により構成される装置全体を表すものである。
【図面の簡単な説明】
【００９２】
【図１】本発明の一実施形態に係る記録制御装置を含む画像処理システムの構成例を示す図である。
【図２】ダウンコンバートの概念を示す図である。
【図３】切り出し範囲マーカーを移動させたときの画面の例を示す図である。
【図４】切り出し範囲マーカーを移動させたときの画面の他の例を示す図である。
【図５】調整画面の表示例を示す図である。
【図６】記録制御装置の構成例を示すブロック図である。
【図７】記録制御装置の切り出し処理について説明するフローチャートである。
【図８】設定画面の表示例を示す図である。
【図９】パーソナルコンピュータの構成例を示すブロック図である。
【符号の説明】
【００９３】
１  記録制御装置，  ２  ビデオカメラ，  ３  記録装置，  ４  外部モニタ，  １２  表示部，  ２１  メインマイコン，  ２２  サブマイコン，  ３４  HDV MUX/DEMUX，  ３５  HDVコーデック，  ３６  DVコーデック，  ３７  ベースバンドブロック
【図１】
2007221503.tif 000003
【図２】
2007221503.tif 000004
【図３】
2007221503.tif 000005
【図４】
2007221503.tif 000006
【図５】
2007221503.tif 000007
【図６】
2007221503.tif 000008
【図７】
2007221503.tif 000009
【図８】
2007221503.tif 000010
【図９】
2007221503.tif 000011